(57)【要約】【課題】大電流に対応でき、且つ信頼性の向上を図ることができるコイル部品を提供する。【解決手段】コモンモードフィルタ１では、巻線２０が第１の導体線２１，２２及び第２の導体線２３，２４をそれぞれ同じ本数ずつ複数含んでおり、第１の導体線２２，２３及び第２の導体線２３，２４が巻芯部１３に二層に巻回されていると共に、第１及び第２の層において第１の導体線２１，２２と第２の導体線２３，２４とが巻芯部１３の軸方向において交互に位置している。したがって、巻芯部１３に巻回される第１の導体線２１，２２及び第２の導体線２３，２４の長さが同じになるため、インピーダンスのアンバランスの発生を抑制できる。その結果、第１の導体線２１，２２と第２の導体線２３，２４との間のインピーダンスのバランスを確保することができるので、大電流に対応でき且つ信頼性の向上を図ることができる。【選択図】図１
2011138914.tif 000002
【特許請求の範囲】
【請求項１】
巻芯部と、当該巻芯部の軸方向の両端に形成された鍔部とを有するコアと、
前記巻芯部に巻回された巻線と、
前記巻線に電気的に接続されると共に前記鍔部に設けられた電極とを備え、
前記巻線は、互いに電気的に絶縁された第１の導体線及び第２の導体線をそれぞれ同じ本数ずつ複数含んでおり、
前記第１の導体線及び前記第２の導体線は、前記巻芯部に複層に巻回されており、
各層において前記第１の導体線と前記第２の導体線とが前記巻芯部の軸方向において交互に位置している特徴とするコイル部品。
【請求項２】
前記第１の導体線は、他の層の前記第２の導体線と隣接していることを特徴とする請求項１記載のコイル部品。
【請求項３】
前記電極は、複数の前記第１の導体線及び前記第２の導体線の端部が接続される接続部と、他の電子部品に電気的に接続される端子部と、前記接続部と前記端子部とを電気的に接続する導体部とを有しており、
前記鍔部は、前記巻芯部の軸心方向に平行で且つ互いに隣り合わない２つの第１の側面と、前記巻芯部の前記軸心方向に交差する第２の側面とを有しており、
前記接続部は、一方の第１の側面に位置し、
前記端子部は、他方の第１の側面に位置し、
前記導体部は、前記第２の側面に位置していることを特徴とする請求項１又は２記載のコイル部品。
【請求項４】
前記接続部及び前記端子部のそれぞれは、前記第１の側面の長手方向に並設されており、
前記接続部の並設方向の幅は、前記端子部の幅よりも大きいことを特徴とする請求項３記載のコイル部品。
【発明の詳細な説明】
【技術分野】
【０００１】
本発明は、コイル部品に関する。
【背景技術】
【０００２】
この種のコイル部品として、巻芯部と当該巻芯部の軸方向の両端に形成された鍔部とを有するコアと、巻芯部に巻回された巻線と、巻線に電気的に接続されると共に鍔部に設けられた電極とを備えたものが知られている（例えば、特許文献１参照）。このコイル部品は、コモンモードチョークコイル（コモンモードフィルタ）である。
【先行技術文献】
【特許文献】
【０００３】
【特許文献１】特開２００３−７７７３０号公報
【発明の概要】
【発明が解決しようとする課題】
【０００４】
ところで、コモンモードフィルタには、大きい電流に対応するために、複数の導体線を用いているものがある。図８に示すように、コモンモードフィルタ８０では、巻線８１が第１の導体線８２，８３及び第２の導体線８４，８５をそれぞれ同じ本数ずつ複数（ここでは２本）含み、第１の導体線８２，８３を巻芯部８６に巻回した後、その上に第２の導体線８４，８５を巻回している。
【０００５】
しかしながら、上記コモンモードフィルタ８０では、内側（下層）に巻回された第１の導体線８２，８３よりも外側（上層）に巻回された第２の導体線８４，８５の方が長くなるため、外側の第２の導体線８４，８５の直流抵抗及びインダクタンス値が内側の第１の導体線８２，８３に対して大きくなり、導体線（ライン）間のインピーダンスにアンバランスが生じる。これにより、上記コモンモードフィルタ８０においては、ディファレンシャルモードの信号電流がコモンモードのノイズ電流に変換され、コモンモードのノイズ電流を除去したいにも関わらずノイズ電流が生じるおそれがある。そのため、上記コモンモードフィルタ８０では、特性が劣化するといった問題があった。
【０００６】
本発明は、上記課題解決のためになされたものであり、大電流に対応でき、且つ信頼性の向上を図ることができるコイル部品を提供することを目的とする。
【課題を解決するための手段】
【０００７】
上記課題を解決するために、本発明に係るコイル部品は、巻芯部と、巻芯部の軸方向の両端に形成された鍔部とを有するコアと、巻芯部に巻回された巻線と、巻線に電気的に接続されると共に鍔部に設けられた電極とを備え、巻線は、互いに電気的に絶縁された第１の導体線及び第２の導体線をそれぞれ同じ本数ずつ複数含んでおり、第１の導体線及び第２の導体線は、巻芯部に複層に巻回されており、各層において第１の導体線同と第２の導体線とが巻芯部の軸方向において交互に位置していることを特徴とする。
【０００８】
このコイル部品では、巻線が第１の導体線及び第２の導体線をそれぞれ同じ本数ずつ複数含んでおり、第１の導体線及び第２の導体線が巻芯部に複層に巻回されていると共に、各層において第１の導体線と第２の導体線とが巻芯部の軸方向において交互に位置している。すなわち、各層において第１の導体線と第２の導体線とのペアが巻芯部の軸心方向に沿って形成されている。したがって、巻芯部に巻回される第１の導体線及び第２の導体線の長さが同じになるため、導体線の長さの差に起因する導体線間のインピーダンスのアンバランスの発生を抑制できる。その結果、第１の導体線と第２の導体線との間のインピーダンスのバランスを確保することができるので、大電流に対応でき、信頼性の向上を図ることができる。
【０００９】
また、第１の導体線は、他の層の第２の導体線と隣接していることが好ましい。この構成によれば、各層間における第１の導体線同士の中心間の距離及び第２の導体線同士の中心間の距離が大きくなり、これに伴い導体線間の寄生容量（コンデンサ容量）が小さくなる。したがって、寄生容量に起因するノイズを低減でき、コモンモードフィルタのノイズ抑制特性の向上を図ることができる。
【００１０】
また、電極は、複数の第１の導体線及び第２の導体線の端部が接続される接続部と、他の電子部品に電気的に接続される端子部と、接続部と端子部とを電気的に接続する導体部とを有しており、鍔部は、巻芯部の軸心方向に平行で且つ互いに隣り合わない２つの第１の側面と、巻芯部の軸心方向に交差する第２の側面とを有しており、接続部は、一方の第１の側面に位置し、端子部は、他方の第１の側面に位置し、導体部は、第２の側面に位置していることが好ましい。第１の導体線及び第２の導体線を巻心部に巻回する際、その端部を１本ずつ例えば熱圧着により接続部に継線している。そのため、導体線が複数本ある場合には、熱圧着により接続部が劣化することがあり、この接続部が電子部品に電気的に接続される構成の場合には、接続部における半田ぬれ性が低下するおそれがある。これに対して、本発明のコイル部品では、導体線の端部が接続される接続部と電子部品に接続される端子部とが互いに隣り合わない２つの第１の側面のそれぞれに位置しているので、端子部が熱圧着の影響を受けることがない。したがって、回路基板実装時における半田のぬれ性が良好になる。
【００１１】
また、接続部及び端子部のそれぞれは、第１の側面の長手方向に並設されており、接続部の並設方向の幅は、端子部の幅よりも大きいことが好ましい。この構成によれば、接続部に対して複数本の第１の導体線及び第２の導体線の継線を容易に行うことができる。これにより、コモンモードフィルタの製造における作業効率の向上を図ることができる。
【発明の効果】
【００１２】
本発明によれば、大電流に対応でき、且つ信頼性の向上を図ることができる。
【図面の簡単な説明】
【００１３】
【図１】第１実施形態に係るコモンモードフィルタを示す分解斜視図である。
【図２】図１に示すコモンモードフィルタの上面図である。
【図３】図１に示すコモンモードフィルタに含まれるコア及び巻線の断面構成を説明する図である。
【図４】図１に示すコモンモードフィルタに含まれる電極を示す斜視図である。
【図５】第２実施形態に係るコモンモードフィルタに含まれるコア及び巻線の断面構成を説明する図である。
【図６】第３実施形態に係るコモンモードフィルタに含まれるコア及び巻線の断面構成を説明する図である。
【図７】変形例に係るコモンモードフィルタの側面図である。
【図８】従来のコモンモードフィルタに含まれるコア及び巻線の断面構成を説明する図である。
【発明を実施するための形態】
【００１４】
以下、図面を参照しながら、本発明の好適な実施形態について詳細に説明する。なお、説明において、同一要素又は同一機能を有する要素には、同一符号を用いることとし、重複する説明は省略する。以下の実施形態は、本発明をコモンモードフィルタに適用した例である。
【００１５】
［第１実施形態］
図１は、第１実施形態に係るコモンモードフィルタを示す分解斜視図である。図２は、図１に示すコモンモードフィルタに含まれるコアの上面図であり、図３は、図１に示すコモンモードフィルタに含まれるコア及び巻線の断面構成を説明する図である。
【００１６】
各図に示すように、コモンモードフィルタ１は、コア１０と、巻線２０と、電極３０とを備えている。このコモンモードフィルタ１は、例えば、長さが２．０ｍｍ、幅が１．２５ｍｍ、高さが１．２５ｍｍに設定されており、いわゆる２０１２タイプのコイル部品である。
【００１７】
コア１０は、第１のコア１１と、第２のコア１２とを含んでいる。第１及び第２のコア１１，１２は、磁性体（例えば、フェライト等）又は非磁性体（例えば、セラミック等）からなる。第１のコア１１は、いわゆるドラムコアであり、図３に示すように、巻芯部１３と、この巻芯部１３の軸方向の両端に形成された一対の鍔部１４とを有している。巻芯部１３は、四角形状を呈している。各鍔部１４は、直方体状を呈している。巻芯部１３と各鍔部１４とは、一体的に形成されている。このような構成により、第１のコア１１は、その巻芯部１３の軸心方向に平行な断面での形状がＨ字状を呈している。
【００１８】
各鍔部１４は、２つの第１の側面１５，１６と、１つの第２の側面１７と、２つの第３の側面１８，１９と、を有している。第１の側面１５，１６同士は、Ｘ軸方向で見て互いに対向するように位置している。第３の側面１８，１９同士は、Ｙ軸方向で見て互いに対向するように位置している。したがって、第１の側面１５，１６同士は互いに隣り合わず、また、第３の側面１８，１９同士も互いに隣り合わない。第１の側面１１５，１６と第２の側面１７とは互いに隣り合い、第３の側面１８，１９と第２の側面１７とも互いに隣り合う。
【００１９】
第１の側面１５，１６及び第３の側面１８，１９は、巻芯部１３の軸心方向と平行である。第２の側面１７は、巻芯部１３の軸心方向に交差している（例えば、直交している）。第２の側面１７は、鍔部１４の巻芯部１３が形成されている面と反対側の面である。第１の側面１５，１６は、コモンモードフィルタ１が回路基板（図示せず）に実装されたときに、当該回路基板に対向する面（実装面）である。コモンモードフィルタ１は、電極３０を回路基板に形成された半田ランドに半田付けすることにより、半田ランドと電気的及び機械的に接続されることとなる。このとき、電極３０と半田ランドとにわたって、半田フィレットが形成される。
【００２０】
第２のコア１２は、いわゆる板状コアである。この第２のコア１２は、鍔部１４の第１の側面１５，１６間にわたるように第１のコア１１に固着される。第１のコア１１と第２のコア１２とは、接着剤等により固着される。第２のコア１２は、コモンモードフィルタ１の上面を平坦面として、自動装着機の吸着ノズルで吸着可能にするために設けるものである。第１及び第２のコア１２を磁性体にて構成した場合、漏洩磁束の低減、及びコモンモードノイズの抑圧特性の向上を図ることができる。
【００２１】
巻線２０は、第１の導体線２１，２２と、第２の導体線２３，２４とを含んでいる。この第１の導体線２１，２２及び第２の導体線２３，２４は、それぞれ複数本（ここでは２本）設けられている。この第１の導体線２１，２２及び第２の導体線２３，２４は、例えば絶縁被膜銅線であり、直径φが５０μｍ〜６０μｍ程度である。
【００２２】
図３に示すように、第１の導体線２１，２２及び第２の導体線２３，２４は、巻芯部１３において二層で且つ巻芯部１３の軸心方向に複数ターン（ここでは４ターン）巻回されている。具体的には、第１の導体線２１，２２及び第２の導体線２３，２４は、巻芯部１３の軸心方向において同じ導体線（ライン）同士が隣り合わない、すなわち異なる導体線が交互に位置するように、第１の層（巻芯部１３に当接する層）及び第２の層（第１の層の直上の層）に巻回されている。また、第１の層に位置する第１の導体線２１，２２及び第２の導体線２３，２４と第２の層に位置する第１の導体線２１，２２及び第２の導体線２３，２４とは、その中心が巻芯部１３の軸心方向に直交する方向において略一致するように巻芯部１３に巻回されている。
【００２３】
より具体的には、第１の層には、巻芯部１３の軸心方向において、第２の導体線２３、第１の導体線２１、第２の導体線２３、第１の導体線２１、・・・の順、すなわち第１の導体線２１及び第２の導体線２３のペアが形成されるように、第１の導体線２１及び第２の導体線２３が巻芯部１３に巻回されている。また、第２の層には、巻芯部１３の軸心方向において、第２の導体線２４、第１の導体線２２、第２の導体線２４、第１の導体線２１、・・・の順、すなわち第１の導体線２２及び第２の導体線２４のペアが形成され、且つ第１の層の第１の導体線２１及び第２の導体線２３の中心と巻芯部１３の軸心方向に直交する方向において略一致するように、第１の導体線２２及び第２の導体線２４が第１の導体線２１及び第２の導体線２３上に巻回されている。第１の導体線２１，２２と第２の導体線２３，２４とは、互いに電気的に絶縁されると共に、互いに磁気結合する。
【００２４】
第１の導体線２１，２２及び第２の導体線２３，２４は、コモンモードフィルタ１の製造装置（図示しない）によって、それぞれペアでバイファイラ巻きされている。より具体的には、まず第１の導体線２１及び第２の導体線２３がペアで巻芯部１３に巻回され、その上に、第１の導体線２２及び第２の導体線２４がペアで巻回される。
【００２５】
図４は、コモンモードフィルタに含まれる電極を示す斜視図である。同図に示すように、電極３０は、第１の電極３１，３２と、第２の電極４１，４２とを含んでいる。第１の電極３１，３２には、第１の導体線２１，２２が電気的に接続されている。また、第２の電極４１，４２には、第２の導体線２３，２４が電気的に接続されている。
【００２６】
第１の電極３１，３２は、接続部３３と、端子部３４と、導体部３５とを有している。接続部３３は、鍔部１４の第１の側面１５の長手方向の一端側に位置している。接続部３３は、第１の導体線２１，２２の端部が継線されて、その端部が電気的に接続されている。具体的には、第１の導体２１，２２の端部は、第１の側面１５の長手方向（Ｙ軸方向）において所定の間隔を設けて接続部３３に継線されている。第１の導体線２１，２２の端部と接続部３３との接続（継線）は、熱圧着、溶接、あるいは半田付け等により行われる。端子部３４は、鍔部１４の第１の側面１６に位置している。端子部３４は、コモンモードフィルタ１が上記回路基板に実装された状態で、回路基板に形成された半田ランドに電気的に接続されることになる。接続部３３における並設方向（第１の側面１５の長手方向：Ｙ軸方向）の幅は、端子部３４の幅よりも広く設定されている。
【００２７】
また、導体部３５は、鍔部１４の第２の側面１７に位置している。導体部３５は、接続部３３と端子部３４とに連続しており、接続部３３と端子部３４とを繋ぐように電気的に接続する。導体部３５は、第２の側面１７上で巻芯部１３の軸心方向に直交する方向にわたるように直線状に伸びている。導体部３５の幅は、端子部３４の幅と同等に設定されている。
【００２８】
第２の電極４１，４２は、第１の電極３１，３２と同様に、接続部４３と、端子部４４と、導体部４５とを有している。接続部４３は、鍔部１４の第１の側面１５の長手方向の他端側に位置している。接続部４３は、第２の導体線２３，２４の端部が継線されて、その端部が電気的に接続されている。具体的には、第２の導体２３，２４の端部は、第１の側面１５の長手方向（Ｙ軸方向）において所定の間隔を設けて接続部４３に継線されている。端子部４４は、鍔部１４の第１の側面１６に位置している。そして、接続部４３における並設方向（第１の側面１５の長手方向：Ｙ軸方向）の幅は、端子部４４の幅よりも広く設定されている。
【００２９】
また、導体部４５は、鍔部１４の第２の側面１７に位置している。導体部４５は、接続部４３と端子部４４とに連続しており、接続部４３と端子部４４とを繋ぐように電気的に接続する。導体部４５は、第２の側面１７上で巻芯部１３の軸心方向に直交する方向にわたるように直線状に伸びている。導体部４５の幅は、端子部４４の幅と同等に設定されている。
【００３０】
電極３０（第１及び第２の電極３１，３２，４１，４２）は、鍔部１４の各側面１５，１６，１７に金属材料（例えば、Ａｇ等）を主成分とする導電ペーストを転写した後に所定温度（例えば、７００℃程度）にて焼き付け、更に金属めっきを施すことにより、形成される。金属めっきには、ＮｉとＳｎ、ＣｕとＮｉとＳｎ、ＮｉとＡｕ、ＮｉとＰｄとＡｕ、ＮｉとＰｄとＡｇ、又は、ＮｉとＡｇ等を用いることができる。なお、電極３０（第１及び第２の電極３１，３２，４１，４２）は、金属製の板材にて構成し、鍔部１４の対応する位置に装着して構成してもよい。金属製の板材には、例えば金属めっき（ＮｉとＳｎ）を施した燐青銅等を用いることができる。
【００３１】
以上説明したように、コモンモードフィルタ１では、巻線２０が第１の導体線２１，２２及び第２の導体線２３，２４をそれぞれ同じ本数ずつ複数含んでおり、第１の導体線２２，２３及び第２の導体線２３，２４が巻芯部１３に二層に巻回されていると共に、第１及び第２の層において第１の導体線２１，２２と第２の導体線２３，２４とが巻芯部１３の軸方向において交互に位置している。すなわち、各層において第１の導体線２１，２２と第２の導体線２３，２４とのペアが巻芯部１３の軸心方向に沿って形成されている。したがって、巻芯部１３に巻回される第１の導体線２１，２２及び第２の導体線２３，２４の長さが同じになるため、導体線の長さの差に起因する導体線間のインピーダンスのアンバランスの発生を抑制できる。その結果、第１の導体線２１，２２と第２の導体線２３，２４との間のインピーダンスのバランスを確保することができるので、大電流に対応でき、且つ信頼性の向上を図ることができる。
【００３２】
また、本実施形態では、電極３０は、第１の導体線２１，２２及び第２の導体線２３，２４の端部が接続される接続部３３，４３と、他の電子部品に電気的に接続される端子部３４，４４と、接続部３３，４３と端子部３４，４４とを電気的に接続する導体部３５，４５とを有しており、鍔部１４は、巻芯部１３の軸心方向に平行で且つ互いに隣り合わない２つの第１の側面１５，１６と、巻芯部１３の軸心方向に交差する第２の側面１７とを有しており、接続部３３，４３は、第１の側面１５に位置し、端子部３４，４４は、第１の側面１６に位置し、導体部３５，４５は、第２の側面１７に位置している。
【００３３】
第１の導体線２１，２２及び第２の導体線２３，２４を巻心部１３に巻回する際、その端部を１本ずつ例えば熱圧着により接続部３３，４３に継線している。そのため、導体線が複数本ある場合には、熱圧着により接続部３３，４３が劣化することがあり、接続部３３，４３が電子部品に電気的に接続される構成の場合には、接続部３３，４３において半田ぬれ性が低下するおそれがある。これに対して、本実施形態のコモンモードフィルタ１では、第１及び第２の導体線２１〜２４の端部が接続される接続部３３，４３と電子部品に接続される端子部３４，４４とが互いに隣り合わない２つの第１の側面１５，１６のそれぞれに位置しているので、端子部３４，４４が熱圧着の影響を受けることがない。したがって、回路基板実装時の半田のぬれ性が良好になる。
【００３４】
また、本実施形態では、接続部３３，４３及び端子部３４，４４それぞれは、第１の側面１５，１６の長手方向の両端側に位置して並設されており、接続部３３，４３の並設方向の幅は、端子部３４，４４の幅よりも大きい。この構成によれば、接続部３３，４３に第１の導体線２１，２２及び第２の導体線２３，３４の継線を容易に行うことができる。これにより、コモンモードフィルタ１の製造における作業効率の向上を図ることができる。
【００３５】
［第２実施形態］
続いて、第２実施形態について説明する。図５は、第２実施形態に係るコモンモードフィルタに含まれるコア及び巻線の断面の構成を説明する図である。
【００３６】
図５に示すように、コモンモードフィルタ５０では、第１の導体線２１，２２及び第２の導体線２３，２４の巻回形態が第１実施形態と異なっており、その他の部分は第１実施形態と共通している。このコモンモードフィルタ５０では、第１の導体線２１，２２が他の層の第２の導体線２３，２４と隣接している。つまり、第１の導体線２１上に第２の導体線２４が巻回され、第２の導体線２３上に第１の導体線２２が巻回されている。
【００３７】
具体的には、第１の層には、巻芯部１３の軸心方向において、第２の導体線２３、第１の導体線２１、第２の導体線２３、第１の導体線２１、・・・の順、すなわち第１の導体線２１及び第２の導体線２３のペアが形成されるように、第１の導体線２１及び第２の導体線２３が巻芯部１３に巻回されている。そして、第２の層には、巻芯部１３の軸心方向において、第１の導体線２２、第２の導体線２４、第１の導体線２２、第２の導体線２４、・・・の順、すなわち第２の導体線２４及び第１の導体線２２のペアが形成されるように、第１の導体線２２及び第２の導体線２４が第２の導体線２３及び第１の導体線２１上に巻回されている。
【００３８】
このようなコモンモードフィルタ５０においても、第１実施形態と同様に、巻線２０が第１の導体線２１，２２及び第２の導体線２３，２４をそれぞれ同じ本数ずつ複数含んでおり、第１の導体線２２，２３及び第２の導体線２３，２４が巻芯部１３に二層に巻回されていると共に、第１及び第２の層において第１の導体線２１，２２と第２の導体線２３，２４とが巻芯部１３の軸方向において交互に位置している。すなわち、各層において第１の導体線２１，２２と第２の導体線２３，２４とのペアが巻芯部１３の軸心方向に沿って形成されている。したがって、巻芯部１３に巻回される第１の導体線２１，２２及び第２の導体線２３，２４の長さが同じになるため、導体線の長さの差に起因する導体線間のインピーダンスのアンバランスの発生を抑制できる。その結果、第１の導体線２１，２２と第２の導体線２３，２４との間のインピーダンスのバランスを確保することができるので、大電流に対応でき、且つ信頼性の向上を図ることができる。
【００３９】
また、コモンモードフィルタ５０では、各層間における第１の導体線２１，２２同士の中心間の距離及び第２の導体線２３，２４同士の中心間の距離が大きくなり、これに伴い導体線間の寄生容量（コンデンサ容量）が小さくなる。したがって、寄生容量に起因するノイズを低減でき、コモンモードフィルタ１のノイズ抑制特性の向上を更に図ることができる。
【００４０】
［第３実施形態］
続いて、第３実施形態について説明する。図６は、第３実施形態に係るコモンモードフィルタに含まれるコア及び巻線の断面の構成を説明する図である。
【００４１】
図６に示すように、コモンモードフィルタ６０では、第１の導体線２１，２２及び第２の導体線２３，２４の巻回形態が第１実施形態と異なっており、その他の部分は第１実施形態と共通している。このコモンモードフィルタ６０では、第２の層に位置する第１の導体線２１，２２及び第２の導体線２３，２４の中心が、第１の層に位置する第１の導体線２１，２２及び第２の導体線２３，２４の中心に対して巻芯部１３の軸心方向において所定間隔（例えば、第１及び第２の導体線２１〜２４の半径程度）ずれるように設定されている。
【００４２】
具体的には、第１の層には、巻芯部１３の軸心方向において、第２の導体線２３、第１の導体線２１、第２の導体線２３、第１の導体線２１、・・・の順、すなわち第１の導体線２１及び第２の導体線２３のペアが形成されるように、第１の導体線２１及び第２の導体線２３が巻芯部１３に巻回されている。また、第２の層には、巻芯部１３の軸心方向において、第２の導体線２４、第１の導体線２２、第２の導体線２４、第１の導体線２１、・・・の順、すなわち第１の導体線２２及び第２の導体線２４のペアが形成され、且つ第１の層の第１の導体線２１及び第２の導体線２３の中心から巻芯部１３の軸心方向に所定間隔ずれるように、第１の導体線２２及び第２の導体線２４が第１の導体線２１及び第２の導体線２３上に巻回されている。
【００４３】
このようなコモンモードフィルタ６０においても、第１実施形態と同様に、巻線２０が第１の導体線２１，２２及び第２の導体線２３，２４をそれぞれ同じ本数ずつ複数含んでおり、第１の導体線２２，２３及び第２の導体線２３，２４が巻芯部１３に二層に巻回されている。そして、各層において第１の導体線２１，２２と第２の導体線２３，２４とが巻芯部１３の軸方向において交互に位置している。すなわち、第１の導体線２１，２２及び第２の導体線２３，２４のペアが巻芯部１３の軸心方向に沿って形成されている。したがって、巻芯部１３に巻回される第１の導体線２１，２２及び第２の導体線２３，２４の長さが同じになるため、導体線の長さの差に起因する導体線間のインピーダンスのアンバランスの発生を抑制できる。その結果、第１の導体線２１，２２と第２の導体線２３，２４との間のインピーダンスのバランスを確保することができるので、大電流に対応でき、且つ信頼性の向上を図ることができる。
【００４４】
本発明は、上記実施形態に限定されるものではない。例えば、上記実施形態では、第１のコア１１に第２のコア１２が固着されているが、第２のコア１２は必ずしも設けられなくてもよい。コモンモードフィルタ１を例えば高周波（ギガ帯域）に用いる際、第２のコア１２を設けた場合には、ＬＣ共振回路における共振周波数が低下する。そこで、コモンモードフィルタを高周波に適用する場合には、図７（ａ），（ｂ）に示すように、第２のコア１２に変えて例えば樹脂により形成された天板Ｔを設ける。この天板Ｔは、コモンモードフィルタ７０の上面を平坦面として、自動装着機の吸着ノズルで吸着可能にする。
【００４５】
また、上記実施形態では、第２のコア１２を第１のコア１１に固着させているが、第２のコア１２は、巻線２０に接着されてもよい。この場合、接続部３３，４３の幅を更に広くすることができる。
【００４６】
また、上記実施形態では、第１の導体線２１，２２及び第２の導体線２３，２４をそれぞれ２本としているが、第１の導体線２１，２２及び第２の導体線２３，２４は２本に限定されず、例えば３本であってもよい。この場合、巻芯部１３には、導体線が三層に巻回される。
【符号の説明】
【００４７】
１，５０，６０…コモンモードフィルタ（コイル部品）、１０…コア、１１…第１のコア、１３…巻芯部、１４…鍔部、１５，１６…第１の側面、１７…第２の側面、２０…巻線、２１，２２…第１の導体線、２３，２４…第２の導体線、３０…電極、３１，３２…第１の電極、４１，４２…第２の電極、３３，４３…接続部、３４，４４…端子部、３５，４５…導体部。
【図４】
2011138914.tif 000003
【図１】
2011138914.tif 000004
【図２】
2011138914.tif 000005
【図３】
2011138914.tif 000006
【図５】
2011138914.tif 000007
【図６】
2011138914.tif 000008
【図７】
2011138914.tif 000009
【図８】
2011138914.tif 000010